(57)【特許請求の範囲】
【請求項１】
音声データが処理される音声信号処理装置において、
音声データが同期信号と共に光入力信号として入力される入力手段と、
前記入力手段から入力される光入力信号に含まれる同期信号に基づいてＰＬＬロック動作を行うＰＬＬ回路と、
前記ＰＬＬ回路のロック状態を検出する検出手段と、
前記音声信号処理装置全体に電力を供給する電源手段と、
前記検出手段による検出結果に基づいて前記電源手段からの電源の供給を制御する制御手段と
を備えて構成されることを特徴とする音声信号処理装置。
【請求項２】
前記入力手段から入力される音声データを処理する処理手段を備え、
前記検出手段は、さらに、前記入力手段からの光入力信号の入力を検出するとともに、前記制御手段は、さらに、前記検出手段の検出結果に基づいて前記処理手段に音声データの処理を開始させること
を特徴とする請求項１に記載の音声信号処理装置。
【発明の詳細な説明】
【０００１】
【発明の属する技術分野】
本発明は一般にオーディオ／ビジュアル機器と呼ばれているような各種の音声信号処理装置に関するものである。
【０００２】
【従来の技術】
ディスクプレーヤ、テーププレーヤ、ラジオチューナ、ＴＶチューナ、映像デコーダ、セレクタ／アンプなどの各種の音声信号又は映像信号機器が普及しており、またこれらの機器をシステム化して使用することも一般に行なわれている。
通常、ＣＤ（コンパクトディスク）プレーヤやテーププレーヤなどからの音声出力をセレクタ／アンプに入力し、セレクタ／アンプからスピーカを接続するような形態がとられることが多い。また、ＣＤプレーヤやテーププレーヤなどの再生出力をＭＤ（ミニディスク）レコーダやテープレコーダなどの録音機器に供給するようにし、ダビング録音などができるようにすることもある。
【０００３】
特に再生側がＣＤで録音側がミニディスク（以下、ＭＤという）やＤＡＴである場合など、両記録媒体がデジタルオーディオ記録媒体である場合は、再生装置からデジタルデータ形態のままで録音装置側に信号を伝送しダビングを行なうこともでき、このデジタルダビングも広く実施されている。
デジタルオーディオデータの伝送には例えば光ケーブルが用いられる。そして再生装置側では記録媒体から読み出されたデジタルオーディオデータを光変調して出力する。録音装置側では光ケーブルで送られてくる光変調信号を電気信号に復調し、デジタルオーディオデータを得、これを記録媒体に記録する。
【０００４】
【発明が解決しようとする課題】
ところで、ユーザーがこのように各種音声信号又は映像信号機器をシステム接続して使用することが多いが、接続される各種機器は必ずしも同一メーカーのものとは限らず、また同一メーカーのものであっても連動制御のためのコントロール信号のインターフェースがとられているものであるとも限らない。
つまり複数の機器がコントロール信号ラインで接続でき、しかも一方の装置が他方の装置に対する制御機能を備えていること、及びここでいう他方の装置が外部機器からの制御を受け付ける仕様となっていることが必要であるが、このような条件を満たす機器（機種）はかなり限定されたものとなっている。
【０００５】
複数の音声信号又は映像信号機器をシステム化した場合、複数の機器が連動制御できるようにすると、ユーザーの使用勝手は非常に向上する。
例えばＣＤプレーヤとＭＤレコーダを接続している場合、ＣＤプレーヤの電源をオンとするだけで、ＭＤレコーダ側も自動的に電源オンとなるような連動動作が実現されるとよい。またダビング録音時の再生装置側の再生動作と録音装置側の録音動作が連動制御されるようにすることも考えられる。
しかしながらこのような連動制御を行なうためには、各機器間でコントロール信号のインターフェースがとられていなければならないが、上述したように各種のメーカーの異なる機器でシステム化するような場合や、現在ユーザーが有するシステムに他の機器を追加接続するような場合の多くは、コントロール信号の授受ができず、このため連動制御を実現して操作性を向上させることはできないという問題があった。
【０００６】
【課題を解決するための手段】
本発明はこのような問題点に鑑みて、相互に特別な連動制御のための仕様が設定されている機器同志でなくとも、或る程度の連動動作を実行できるようにすることを目的とする。
このため、音声データが処理される音声信号処理装置において、音声データが同期信号と共に光入力信号として入力される入力手段と、前記入力手段から入力される光入力信号に含まれる同期信号に基づいてＰＬＬロック動作を行うＰＬＬ回路と、前記ＰＬＬ回路のロック状態を検出する検出手段と、前記音声信号処理装置全体に電力を供給する電源手段と、前記検出手段による検出結果に基づいて前記電源手段からの電源の供給を制御する制御手段を設けるようにする。
【０００７】
例えば現行の一般的なデジタルデータ出力装置（再生装置等）においては、光変調信号によるデジタルデータ出力が可能とされ、光ケーブルに対より録音装置などの他の機器にデジタルデータを供給できるが、この出力装置では電源オンとれるとともに、光出力がオンとなるようにされている。従って入力装置側では光入力の有無により、出力装置側の電源状態を確認できる。
また入力装置側では、伝送されてくるデータ入力の有無を検出すれば、連動動作のための所定の処理の実行タイミングが判別できる。
【０００８】
【発明の実施の形態】
以下、図１〜図９により本発明の実施の形態としての音声信号又は映像信号機器を説明する。ここでは本発明の音声信号又は映像信号機器をＭＤレコーダ／プレーヤとした場合を例にあげ、次の順で説明する。
１．実施の形態としてのＭＤレコーダ／プレーヤを有するオーディオシステム
２．ＭＤレコーダ／プレーヤの構成
３．ＭＤレコーダ／プレーヤに再生データを供給するＣＤプレーヤの構成
４．ＭＤレコーダ／プレーヤでの電源オン連動動作
５．ＭＤレコーダ／プレーヤでの電源オフ連動動作
６．ＭＤレコーダ／プレーヤでのダビング時の連動動作
７．実施の形態としての他の機器例
【０００９】
１．実施の形態としてのＭＤレコーダ／プレーヤを有するオーディオシステム図１は実施の形態としてのＭＤレコーダ／プレーヤ３０を有するオーディオシステムの構成例を示したものである。
ここではシステムステレオ４０にＭＤレコーダ／プレーヤ３０を接続してオーディオシステムを構築した例をあげる。
【００１０】
システムステレオ４０は、ＣＤプレーヤ４１、テーププレーヤ４２、ＡＭ／ＦＭ放送に対するチューナ４３、セレクタ／アンプ４５から構成されている。
ＣＤプレーヤ４１はＣＤに対する再生動作を行ない、再生されたアナログオーディオ信号ＡCDをセレクタ／アンプ４５に供給する。
テーププレーヤ４２はカセットテープに対する再生動作を行ない、再生されたアナログオーディオ信号ＡTPをセレクタ／アンプ４５に供給する。
チューナ４３はアンテナ４４で受信された電波から選局、検波動作等を行ない、所定の放送音声信号を出力する。出力される放送音声としてのアナログオーディオ信号ＡTUはセレクタ／アンプ４５に供給される。
【００１１】
セレクタ／アンプ４５は、ユーザーのファンクション操作に応じて入力されるアナログオーディオ信号ＡCD，ＡTP，ＡTUのうちから１つを選択し、所要の増幅処理等を行なってスピーカ部４６に供給して、音声として出力させる。
このようなシステムステレオ４０にＭＤレコーダ／プレーヤ３０を接続した場合、ＭＤレコーダ／プレーヤ３０においてミニディスクから再生されたアナログオーディオ信号ＡMDはセレクタ／アンプ４５に入力されるようにコード接続される。
【００１２】
セレクタ／アンプ４５では、例えば外部機器用の入力端子を備え、その入力端子にＭＤレコーダ／プレーヤ３０が接続されることになる。そしてユーザーがセレクタ／アンプ４５において外部入力ファンクションを選択することにより、ＭＤレコーダ／プレーヤ３０からの再生音声をスピーカ部４６で出力させることができる。
【００１３】
またこの例では、ＣＤプレーヤ４１から再生された音声信号をＭＤレコーダ／プレーヤ３０においてミニディスクにダビング録音できるように光ケーブルＯＣが接続される。ＣＤプレーヤ４１では、ＣＤから読み出した音声データをデジタルデータ形態のまま光信号に変換し、光ケーブルＯＣに出力する。
ＭＤレコーダ／プレーヤ３０では光ケーブルＯＣから供給される光信号を再び元の電気信号としてのデジタルデータに変換し、そのデジタルデータをミニディスクに記録していく動作を行なうことができるようにされている。
【００１４】
２．ＭＤレコーダ／プレーヤの構成
ＭＤレコーダ／プレーヤ３０の構成を図２で説明する。
光磁気ディスク（ミニディスク：ＭＤ）９１に対して、図１におけるＣＤプレーヤ４１からの再生データの記録動作（デジタルダビング録音）が実行される際には、ＣＤプレーヤ４１から出力された光変調信号が、光ケーブルＯＣが接続されている端子１に供給される。端子１に入力された光変調信号は、光電変換部２において電気信号としてのデジタルオーディオ信号に復調される。
【００１５】
復調されたデジタルオーディオ信号は音声圧縮エンコーダ／デコーダ部３に供給され、音声圧縮エンコード処理を施される。ここでは１６ビット量子化、44.1KHz サンプリングのデジタルオーディオ信号が、約１／５のデータ量のデータに圧縮処理される。
また、伝送されてきたデジタルオーディオ信号に含まれているサブコード等の制御情報が抽出され、システムコントローラ１５供給される。
さらに、デジタルオーディオ信号についてはレベル検出部１９に供給され、その音声信号としてのレベル情報（例えば無音／有音の検出及び有音時のレベル）が得られるようにしている。レベル情報についてはシステムコントローラ１５に供給される。
【００１６】
音声圧縮エンコーダ／デコーダ部３によって圧縮されたデジタルオーディオ信号はメモリコントローラ４によって一旦バッファメモリ５に書き込まれる。そしてバッファメモリ５内に所定量以上のデータが蓄積された時点で所定のデータ単位でデータが読み出されてエンコーダ／デコーダ部６に送られる。
エンコーダ／デコーダ部６ではＣＩＲＣエンコード、ＥＦＭ変調等のエンコード処理を行なったデータを記録信号として磁気ヘッド駆動回路７に供給する。
磁気ヘッド駆動回路７は供給された記録信号に応じて、磁気ヘッド８に磁気ヘッド駆動信号を供給する。つまり、ＭＤ９１に対して磁気ヘッド８によるＮ又はＳの磁界印加を実行させる。
【００１７】
なお、バッファメモリ５へのデジタルオーディオ信号の書き込みは、ＣＤプレーヤ４１からのデジタルオーディオ信号の伝送速度に応じたビットレートで行なわれるが、バッファメモリ５からのデジタルオーディオ信号の読み出しは、より高速レートで行なわれる。つまりバッファメモリ５内に所定量以上のデータの蓄積が行なわれることを待って、その蓄積データを高速でＭＤ９１に記録していくという動作が行なわれる。このため、実際にＭＤ９１に対してデータ記録を行なう動作はバッファメモリ５でのデータ蓄積量に応じて間欠的に行なわれることになる。
【００１８】
このような記録時においてＭＤ９１は、スピンドルモータ９により回転駆動される。そして磁気ヘッド８とＭＤ９１を挟んだ反対面側には光学ヘッド１０が配されており、磁気ヘッド８による磁界印加が行なわれる記録トラックをキュリー温度まで加熱するための高レベルのレーザ出力を行なう。
なお光学ヘッド１０及び磁気ヘッド８は、スレッド機構１１によりディスク半径方向に移動可能とされている。
【００１９】
記録時に光学ヘッド１０から読み取られる反射光情報はＲＦアンプ１２に供給される。ＲＦアンプ１２は供給された情報からトラッキングエラー信号、フォーカスエラー信号、グルーブ情報等を抽出する。グルーブ情報とはＭＤ９１にプリグルーブ（ウォブリンググルーブ）として記録されている絶対位置情報であり、このグルーブ情報がアドレスデコーダ１４に供給され、記録箇所のアドレスが判別される。アドレス情報はシステムコントローラ１５に供給され、各種の制御動作に用いられる。
即ちシステムコントローラ１５は、このアドレス情報や、伝送されてきたデジタルオーディオ信号から抽出されたサブコード情報などに基づいて、各部を制御し、記録動作を実行させる。
【００２０】
また、トラッキングエラー信号、フォーカスエラー信号はサーボ回路１３に供給され、サーボ回路はこれに基づいてフォーカスサーボ、トラッキングサーボ、スレッドサーボを実行する。またグルーブ情報から抽出されるクロックからスピンドル回転情報が得られ、これによりスピンドルエラー信号が生成される。スピンドルエラー信号はサーボ回路１３に供給され、サーボ回路１３はこれに基づいてスピンドルモータ９を一定線速度（ＣＬＶ）に制御する。
【００２１】
操作部１７は、ユーザー操作に供される録音キー、再生キー、サーチキー、停止キーなどの各種キーが設けられている。操作情報はシステムコントローラ１５に供給される。
表示部１８は例えば液晶ディスプレイによって構成され、動作状態、トラックナンバ、時間情報等をシステムコントローラ１５の制御に基づいて表示する動作を行なう。またシステムコントローラ１５は、レベル検出部１９からレベル情報を用いて表示部１８で入力レベル（録音信号レベル）の表示も行なうことができる。
【００２２】
光ケーブルＯＣによって伝送されたデータは光入力ＰＬＬ回路１６にも供給される。伝送されるデータにはオーディオデータのみでなく、同期信号などの制御データも含まれているが、光入力ＰＬＬ回路１６では例えば同期信号を抽出してＰＬＬ回路に注入し、供給されるデータに同期したクロックを発生させる。
このクロックはシステムコントローラ１５を介して必要部位に供給され、入力されたデジタルオーディオ信号に対する各種信号処理に用いられる。
【００２３】
ところでＣＤプレーヤ４１は、電源がオンとされることに伴って光出力を開始するようにしている。つまり再生動作中でなくとも光信号は端子１から入力される。そして光入力ＰＬＬ回路１６では光信号における同期信号に基づいてＰＬＬロック動作を行なうことになるため、システムコントローラ１５は、光入力ＰＬＬ回路１６においてＰＬＬロック状態を検出することで、ＣＤプレーヤ４１の電源のオン／オフを検出できることになる。
【００２４】
ＭＤレコーダ／プレーヤ３０においてＭＤ９１の再生動作を実行する場合は、上述した記録時と同様のスピンドルモータ９の動作によりＭＤ９１が一定線速度で回転駆動され、光学ヘッド１０によってデータが読み取られる。ただし光学ヘッド１０からのレーザ出力レベルは、再生用の低レベルに制御される。
フォーカス、トラッキング、スレッドの各サーボ制御も記録時と同様に行なわれる。
【００２５】
光学ヘッド１０によって読み出された反射光に応じたデータからはＲＦアンプ１２で再生データ（ＥＦＭ変調データ）が抽出され、エンコーダ／デコーダ部６に供給される。エンコーダ／デコーダ部６ではＥＦＭ復調、ＣＩＲＣデコード等のデコード処理を行なう。そしてデコードされたデータはメモリコントローラ４を介して一旦バッファメモリ５に蓄積される。そして所定タイミングでバッファメモリ５から読み出され、音声圧縮エンコーダ／デコーダ部３に供給される。
【００２６】
音声圧縮エンコーダ／デコーダ部３では、音声圧縮に対する伸長処理を行ない、１６ビット量子化、44.1KHz サンプリングのデジタルオーディオ信号に復元する。このデジタルオーディオ信号はＤ／Ａ変換器２０においてアナログオーディオ信号とされ、アンプ２１で所要の増幅処理がされた後、端子２２から再生されたアナログオーディオ信号ＡMDとして出力される。つまり図１の例の場合、このアナログオーディオ信号ＡMDがセレクタ／アンプ４５に供給される。
【００２７】
３．ＭＤレコーダ／プレーヤに再生データを供給するＣＤプレーヤの構成
図３は図１のシステムステレオ４０内のＣＤプレーヤ４１のブロック図である。ＣＤプレーヤ４１における再生位置にローディングされたＣＤ９０は、再生動作時においてスピンドルモータ５２によって一定線速度（ＣＬＶ）で回転駆動される。そして光学ヘッド５３によってディスク９０にピット形態で記録されているデータが読み出され、ＲＦアンプ５５に供給される。ＲＦアンプ５５の出力はデコーダ５７及びサーボ回路５６に供給される。
【００２８】
サーボ回路５６は、ＲＦアンプ５３からのフォーカスエラー信号、トラッキングエラー信号や、デコーダ７からのスピンドルエラー信号等から、フォーカス、トラッキング、スレッド、スピンドルの各種サーボドライブ信号を生成しサーボ動作を実行させる。
【００２９】
光学ヘッド５３にはレーザ出力手段としてのレーザダイオード、偏光ビームスプリッタや対物レンズ等からなる光学系、及び反射光を検出するためのディテクタが搭載されているが、対物レンズは２軸機構によってディスク半径方向（トラッキング方向）及びディスクに接離する方向（フォーカス方向）に変位可能に保持されており、フォーカスサーボ動作、トラッキングサーボ動作が可能とされている。また光学ヘッド５３全体は、スレッド機構５４によりディスク半径方向に移動可能とされている。
【００３０】
サーボ回路５６は供給されたトラッキングエラー信号、フォーカスエラー信号に基づいてサーボ駆動信号を発生させ、２軸機構及びスレッド機構４を制御して光学ヘッド５３による再生動作のためのフォーカス及びトラッキング制御を行なうことになる。またマイクロコンピュータにより構成されるシステムコントローラ６１からのトラックジャンプ指令、アクセス指令に基づいて２軸機構及びスレッド機構５４を制御し、光学ヘッド５３のアクセス動作等を実行させる。
さらに、スピンドルエラー信号に基づいてスピンドルモータ５２を一定線速度（ＣＬＶ）に制御する動作を行なう。
【００３１】
ＲＦアンプ５５で得られた再生ＲＦ信号はデコーダ５７に供給される。デコーダ５７ではＥＦＭ復調，ＣＩＲＣデコード，デインターリーブ等の処理を行なってディスク９０から読み取られた情報を１６ビット量子化、44.1KHz サンプリングのデジタルオーディオ信号としての形態にデコードする。
デコーダ５７から出力されるデジタルオーディオ信号はＤ／Ａ変換器５８でアナログオーディオ信号とされ、増幅回路５９を介して端子６０から出力される。図１の例の場合、このアナログオーディオ信号ＡCDがセレクタ／アンプ４５に供給される。
【００３２】
またデコーダ５７から出力されるデジタルオーディオ信号は光変調部６２にも供給される。光変調部６２ではデジタルオーディオ信号により変調された光信号を生成し、端子６３から光デジタル信号として出力する。例えば６６０ｎｍの赤色光を発光する。
端子６３には光ケーブルＯＣが接続され、この光ケーブルＯＣにより、デジタルオーディオ信号が光変調信号として、図２に示したＭＤレコーダ／プレーヤ３０の端子１に伝送されることになる。
上述した図２のＭＤレコーダ／プレーヤ３０では、端子１から入力される６６０ｎｍの赤色光に対して光電変換部２及び光入力ＰＬＬ回路１６の動作が行なわれることになる。
【００３３】
再生時の各種動作はシステムコントローラ６１により制御される。
例えば再生開始、終了、トラックアクセス、早送り再生、早戻し再生などの動作は、システムコントローラ６１がサーボ回路５６や光学ヘッド５３の動作を制御することで実現される。
【００３４】
またシステムコントローラ６１は光変調部６２に対して、光デジタル出力のオン／オフを制御する。光信号の出力は、ＣＤプレーヤ４１が電源オンとされている間は継続して行なわれる。つまり、ＣＤプレーヤ４１が電源オンとされるとシステムコントローラ６１は光変調部６２に対して動作指令を出し、端子６３からの発光出力が開始される。この発光出力は、ＣＤプレーヤ４１が電源オフとされることで終了される。
なお、再生動作を行なっていない間は、光変調部６２に供給されるオーディオデータはなく、従って、オーディオデータとしては無音データが光信号として出力されることになる。
【００３５】
操作部６４には、ユーザーが各種操作を行なうための操作キーが設けられている。例えば再生キー、トラックアクセスキー、停止キーなどが形成される。
システムコントローラ６１は操作部６４からの操作情報と、内部ＲＯＭに記憶された制御プログラムに応じて各部の制御を行なうことになる。
また表示部６５は例えば液晶ディスプレイなどによって形成されるもので、再生時にディスクナンバ、トラックナンバ、再生進行時間、動作状態などをシステムコントローラ１１の制御に基づいて表示する。
【００３６】
４．ＭＤレコーダ／プレーヤでの電源オン連動動作
このようなＣＤプレーヤ４１と光ケーブルＯＣで接続されるＭＤレコーダ／プレーヤ３０において実行される連動動作について、以下説明していくが、先ず、ＣＤプレーヤ４１が電源オンとされることに応じたＭＤレコーダ／プレーヤ３０の動作を図４、図５で説明する。
【００３７】
ＭＤレコーダ／プレーヤ３０は、電源コンセントが商用電源に接続されたパワースタンバイ状態であるとする。この状態においてシステムコントローラ１５は図４の処理を行なう。
ステップF100としてパワースタンバイ状態にあるときは、システムコントローラ１５は光入力ＰＬＬ回路１６におけるロック状態を監視している(F101)。
ＣＤプレーヤ４１の電源がオフである期間は端子１からの光入力は無いため、当然光入力ＰＬＬ回路１６はアンロック状態である。
【００３８】
ところが、ＣＤプレーヤ４１の電源がオンとされると、端子１からの光入力が開始され、これに応じて光入力ＰＬＬ回路１６はＰＬＬ回路をロックさせる動作を行なう。そして或る時点でＰＬＬロックが完了する。システムコントローラ１５はこのＰＬＬロック状態を検出すると、処理をステップF102に進め、ＭＤレコーダ／プレーヤ３０の電源をオンとする処理を行なう。
【００３９】
図５にこの動作のタイミングを示す。図５（ａ）のようにｔ0 時点でＣＤプレーヤ４１の電源がオンとされ、端子１からの光入力が開始された時点から光入力ＰＬＬ回路１６の動作が開始されて、図５（ｂ）のようにｔ1 時点でＰＬＬロックが完了したとする。システムコントローラ１５はこのＰＬＬロック状態を検出したｔ2 時点で、図５（ｃ）のようにＭＤレコーダ／プレーヤ３０の電源をオンとする処理を行なう。
【００４０】
ＭＤレコーダ／プレーヤ３０でこのような動作が行なわれることで、例えばシステムステレオ４０側で電源操作を行ない、ＣＤプレーヤ４１が電源オンとされればＭＤレコーダ／プレーヤ３０も自動的に電源オンとなり、ユーザーがＭＤレコーダ／プレーヤ３０側も電源操作しなければならないという必要はなくなる。
【００４１】
５．ＭＤレコーダ／プレーヤでの電源オフ連動動作
次に、ＣＤプレーヤ４１が電源オフとされることに応じたＭＤレコーダ／プレーヤ３０の動作を図６、図７で説明する。
ＭＤレコーダ／プレーヤ３０が電源オン状態であるときは、システムコントローラ１５は図６の処理を行なっている。
即ちステップF200として電源オン状態にあるときは、システムコントローラ１５は光入力ＰＬＬ回路１６におけるロック状態を監視している(F201)。
【００４２】
ＣＤプレーヤ４１の電源がオンである期間は端子１からの光入力に応じて光入力ＰＬＬ回路１６ではロック状態が保たれているが、ＣＤプレーヤ４１の電源がオフとされると、端子１からの光入力が途絶え、これにより光入力ＰＬＬ回路１６ではＰＬＬ回路のロックが外れることになる。システムコントローラ１５はこのようにＰＬＬ回路がアンロック状態となったことを検出すると、処理をステップF202に進め、ＭＤレコーダ／プレーヤ３０の電源をオフとする処理を行なう。
【００４３】
なお、ＰＬＬ回路がアンロック状態となったことに応じてＣＤプレーヤ４１の電源オフを判別するものであるが、伝送されてきたデータの乱れやノイズなどの何らかの原因でＰＬＬ回路が一時的にアンロック状態となったような場合において、ＣＤプレーヤ４１が電源オフとなったと誤判別することがないように、例えば或る程度の期間継続してアンロック状態となった場合のみに処理をステップF202に進めるようにするなどの誤判断防止手段をとることが好適である。
もしくはＰＬＬ回路のロック状態を監視するのではなく、光入力自体の有無を監視する手段を設け、光入力がなくなったら処理をステップF202に進めるようにしてもよい。
【００４４】
図７に、図６の動作のタイミングを示す。図６（ａ）のようにｔ10時点でＣＤプレーヤ４１の電源がオフとされ、端子１からの光入力が途絶えたとする。
これに応じて光入力ＰＬＬ回路１６の動作は図６（ｂ）のようにアンロック状態となる。システムコントローラ１５はこのＰＬＬアンロック状態を検出したら、その後或る程度の期間アンロック状態が継続されていることを確認して、例えばｔ11時点で、図６（ｃ）のようにＭＤレコーダ／プレーヤ３０の電源をオフとする処理を行なう。
【００４５】
ＭＤレコーダ／プレーヤ３０でこのような動作が行なわれることで、例えばシステムステレオ４０側で電源操作を行ない、ＣＤプレーヤ４１が電源オフとされれば、ＭＤレコーダ／プレーヤ３０も自動的に連動して電源オフとなり、この場合もユーザーがＭＤレコーダ／プレーヤ３０側を電源操作する必要はなくなる。
【００４６】
６．ＭＤレコーダ／プレーヤでのダビング時の連動動作
次に、ＣＤプレーヤ４１からＭＤレコーダ／プレーヤ３０へダビング録音を行なう場合のＭＤレコーダ／プレーヤ３０の動作を図８、図９で説明する。
ダビング録音の際は、まずユーザーはＭＤレコーダ／プレーヤ３０で録音スタンバイ（録音一時停止状態とする操作）とする操作を行ない、その後ＣＤプレーヤ４１において再生操作を行なえばよい。
ＭＤレコーダ／プレーヤ３０において録音スタンバイ操作がされると、システムコントローラ１５は図８のステップF301からF302に進む処理を行なうことになる。
【００４７】
即ちステップF302として、入力された光信号から復調されたデータとして、音声圧縮エンコーダ／デコーダ３から出力されるデータについて、バッファメモリ５への取込動作を開始させる。
実際にはこのタイミングではまだＣＤプレーヤ４１側で再生動作が行なわれていないこともあり、つまり無音データの場合もあるが、録音スタンバイ時点からバッファメモリ５へのデータ取込を行なうものである。
【００４８】
そして、システムコントローラ１５はステップF303で、レベル検出部１９からのレベル情報を監視しており、音声データとして有音のデータの入力が検出されたら、処理をステップF304に進め、バッファメモリ５からのデータの読み出し及びＭＤ９１への記録動作を開始させるようにする。
なお、バッファメモリ５からは、有音のデータの入力が検出された時点より多少前の時点でバッファメモリ５に取り込まれたデータを先頭データとして読み出しを行なうようにする。
【００４９】
図９に、この動作のタイミングを示す。ＣＤプレーヤ４１が電源オンであるため図６（ａ）のように光入力は継続して行なわれている。
ｔ20時点でユーザーが録音スタンバイ操作をしたとすると、図９（ｃ）のように、バッファメモリ５へのデータ取込が開始される。
この時点では図９（ｂ）のように有音データとしての音声データ入力がなかったとすると、無音データがバッファメモリ５へ取り込まれていくことになる。
【００５０】
ｔ20時点以降においてユーザーがＣＤプレーヤ４１側で再生操作を行ない、ｔ21時点で図９（ｂ）のように音楽等のデジタルオーディオ信号が供給されてきたとする。このことをシステムコントローラ１５はレベル情報により検知すると、例えばｔ22時点で各部に録音開始を実行させる制御を行なうことになる。
即ち、バッファメモリ５からのデータの読み出しを開始させ、その読み出されたデータをエンコーダ／デコーダ部６で処理させ、磁気ヘッド８でＭＤ９１に対して記録させる。また光学ヘッド１０に対しては記録レベルのレーザ光出力を実行させる。
【００５１】
ここで図９（ｃ）（ｄ）に示すように、ｔ22時点では、少なくともｔ21時点で取り込まれたデータ（もしくはそれより多少前の時点でも良い）からをバッファメモリ５から読み出させるようにする。つまり、図中▲１▼のデータは最初の有音データであるため、少なくともこの▲１▼のデータからが記録されるようにする。このようにすることで、録音すべきデータの先頭部分が録音できなくなるということはない。
またバッファメモリ５からの読み出しからＭＤ９１への記録までは高速レートで行なわれるため、図中▲２▼▲３▼のデータとして示すように、継続的にＣＤプレーヤ４１から供給されてバッファメモリ５に取り込まれていくデータは、間欠的に読み出されて記録されるていくことになる。
【００５２】
ＭＤレコーダ／プレーヤ３０でこのような動作が行なわれることで、ダビング時において、ＭＤレコーダ／プレーヤ３０で録音スタンバイ操作を行ない、ＣＤプレーヤ４１で再生操作を行なった直後にタイミングを見計らってＭＤレコーダ／プレーヤ３０の録音を開始させるなどの、面倒でしかも難しい操作をユーザーが行なう必要はなくなり、また録音を開始させるタイミングを誤ってダビングに失敗するということもなくなる。
【００５３】
なお、レベル情報で音声データの入力開始タイミングを検出するようにしたが、例えば入力データから抽出されるサブコードを監視していれば、より正確に入力開始タイミングを検出できる。従って、サブコードを監視して録音開始タイミングを設定してもよい。
【００５４】
７．実施の形態としての他の機器例
以上実施の形態を説明してきたが、本発明はさらに各種の機器や接続形態において適用できる。
例えば光ケーブルで接続する例をあげたが、同軸ケーブルで接続されるような場合も、そのデジタルデータの入力状況を監視していることで、各種の連動動作を行なうことも可能である。
【００５５】
またＭＤレコーダ／プレーヤに限らず、ＤＡＴ（デジタルオーディオテープ）レコーダ、ＣＤ−Ｇデコーダ、ＭＰＥＧデコーダ、Ｄ／Ａコンバータなど、オーディオ／ビジュアルシステムに加えることのでき、他の機器からのデジタルデータの入力がある機器であれば、本発明を適用できる。
例えばＭＰＥＧデコーダやＤ／Ａコンバータなどは、接続された再生装置（ビデオＣＤプレーヤやＣＤプレーヤなど）の電源のオン／オフに応じて電源が連動制御されるようにしたり、デコードなどの動作が自動的に開始されるようにすることができる。
【００５６】
【発明の効果】
以上説明したように本発明の音声信号処理装置では、検出手段で入力手段に接続された外部機器の電源オン／オフ状態を判断し、その外部機器と同様の電源オン／オフ状態となるように電源のオン／オフ制御を行なう制御手段を設けたため、音声／映像システムとして接続された際に電源の連動制御が可能となり、ユーザーの操作は大幅に簡略化され、使い勝手が良いものとなるという効果がある。もちろんこの場合に、専用のコントロールラインを接続するということは不要であり、連動制御可能な機器同志が限定されてしまうということもない。例えば異なるメーカーの機器でシステムアップする場合なども問題ない。
【００５７】
また、検出手段でデジタルデータの入力を検出し、その検出結果に応じて、入力手段から入力されるデジタルデータに対しての必要な処理を開始させることができる制御手段を設けるようにすることで、例えば録音動作やデコード動作なども接続された出力機器と連動制御されるようにでき、ユーザーの操作はより簡単でしかも操作ミスのない確実なものとなるという効果がある。
【図面の簡単な説明】
【図１】本発明の実施の形態のＭＤレコーダ／プレーヤを有するオーディオシステムの説明図である。
【図２】実施の形態のＭＤレコーダ／プレーヤのブロック図である。
【図３】実施の形態のＭＤレコーダ／プレーヤと接続されるＣＤプレーヤのブロック図である。
【図４】実施の形態の電源オン連動動作のフローチャートである。
【図５】実施の形態の電源オン連動動作の説明図である。
【図６】実施の形態の電源オフ連動動作のフローチャートである。
【図７】実施の形態の電源オフ連動動作の説明図である。
【図８】実施の形態のダビング時の連動動作のフローチャートである。
【図９】実施の形態のダビング時の連動動作の説明図である。
【符号の説明】
１  端子
２  光電変換部
３  音声圧縮エンコーダ／デコーダ部
４  メモリコントローラ
５  バッファメモリ
６  エンコーダ／デコーダ部
７  磁気ヘッド駆動回路
８  磁気ヘッド
１０  光学ヘッド
１５  システムコントローラ
１６  光入力ＰＬＬ回路
１９  レベル検出部
３０  ＭＤレコーダ／プレーヤ
４１  ＣＤプレーヤ
【図１】
0003814848.tif 000002
【図２】
0003814848.tif 000003
【図３】
0003814848.tif 000004
【図４】
0003814848.tif 000005
【図５】
0003814848.tif 000006
【図６】
0003814848.tif 000007
【図７】
0003814848.tif 000008
【図８】
0003814848.tif 000009
【図９】
0003814848.tif 000010